(57)【要約】【課題】検出された見守り対象者の現在の状態を詳細に把握して指示をすること。【解決手段】近距離通信信号が送達可能な距離間隔で設置される情報取得装置であって、見守り対象者が携帯する通信機器から、信号識別子を含む近距離通信信号を受信する信号受信部と、信号識別子を含む近距離通信信号を受信した場合に、見守り対象者の状態を確認するための情報と、見守り対象者を取り巻く環境情報とを取得する情報取得部と、見守り対象者の状態を確認するための情報と、見守り対象者を取り巻く環境情報とを、信号識別子に対応付けて情報処理装置に送信する情報送信部と、情報処理装置から送信された、見守り対象者の動作を指示するための情報を受信する指示情報受信部と、見守り対象者の動作を指示するための情報を報知する指示情報報知部と、を備える。【選択図】  図１４
2018067295.tif 000002
【特許請求の範囲】
【請求項１】
近距離通信信号が送達可能な距離間隔で設置される情報取得装置であって、
見守り対象者が携帯する通信機器から、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置から送信された、前記見守り対象者の動作を指示するための情報を受信する指示情報受信手段と、
前記見守り対象者の動作を指示するための情報を報知する指示情報報知手段と、
を備える情報取得装置。
【請求項２】
前記見守り対象者の動作を指示するための情報は、前記情報処理装置において、複数の前記情報取得装置から受信した複数の前記環境情報と、各情報取得装置から受信した前記見守り対象者の状態を確認するための情報とに基づいて、生成されて、前記各情報取得装置に送信される請求項１に記載の情報取得装置。
【請求項３】
前記見守り対象者の動作を指示するための情報は、複数の前記情報取得装置から受信した複数の前記環境情報を分析することによって作成された避難経路を含む避難情報を含む請求項１または２に記載の情報取得装置。
【請求項４】
前記情報取得手段は、前記見守り対象者を取り巻く環境情報を、温度計、湿度計、放射線計測器、または、見守り対象者の生体情報を検出するセンサにより取得する請求項１乃至３のいずれか１項に記載の情報取得装置。
【請求項５】
前記情報取得手段は、前記見守り対象者の状態を確認するための情報を、前記見守り対象者を含む映像を撮像する撮像手段と、前記見守り対象者に関連する音声を取得する音声入力手段との少なくともいずれかにより取得する請求項１乃至４のいずれか１項に記載の情報取得装置。
【請求項６】
前記情報取得手段は、前記見守り対象者の事故、または、災害発生を含むイベント発生時に、前記見守り対象者の状態を確認するための情報と、前記見守り対象者を取り巻く環境情報とを取得する請求項１乃至５のいずれか１項に記載の情報取得装置。
【請求項７】
前記近距離通信信号はビーコン信号である、請求項１乃至６のいずれか１項に記載の情報取得装置。
【請求項８】
前記情報処理装置から配信された、見守り対象者を見守るための見守りアプリケーションを受信するアプリケーション受信手段と、
前記受信した見守りアプリケーションを実行して、前記情報取得装置の処理を実現するアプリケーション実行手段と、
をさらに備える請求項１乃至７のいずれか１項に記載の情報取得装置。
【請求項９】
近距離通信信号が送達可能な距離間隔で設置される情報取得装置の情報取得方法であって、
見守り対象者が携帯する通信機器から、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置から送信された、前記見守り対象者の動作を指示するための情報を受信する指示情報受信ステップと、
前記見守り対象者の動作を指示するための情報を報知する指示情報報知ステップと、
を含む情報取得方法。
【請求項１０】
近距離通信信号が送達可能な距離間隔で設置される情報取得装置の情報取得プログラムであって、
見守り対象者が携帯する通信機器から、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置から送信された、前記見守り対象者の動作を指示するための情報を受信する指示情報受信ステップと、
前記見守り対象者の動作を指示するための情報を報知する指示情報報知ステップと、
をコンピュータに実行させる情報取得プログラム。
【請求項１１】
請求項１乃至８のいずれか１項に記載の情報取得装置から送信される見守り対象者の信号識別子を処理する情報処理装置であって、
近距離通信信号に含まれる信号識別子と、前記近距離通信信号を発信する通信機器を携帯する見守り対象者とを対応付けて登録する登録手段と、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信手段と、
を備える情報処理装置。
【請求項１２】
請求項１乃至８のいずれか１項に記載の情報取得装置から送信される見守り対象者の信号識別子を処理する情報処理装置の情報処理方法であって、
近距離通信信号に含まれる信号識別子と、前記近距離通信信号を発信する通信機器を携帯する見守り対象者とを対応付けて登録手段に登録する登録ステップと、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
を含む情報処理方法。
【請求項１３】
請求項１乃至８のいずれか１項に記載の情報取得装置から送信される見守り対象者の信号識別子を処理する情報処理装置の情報処理プログラムであって、
近距離通信信号に含まれる信号識別子と、前記近距離通信信号を発信する通信機器を携帯する見守り対象者とを対応付けて登録手段に登録する登録ステップと、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
をコンピュータに実行させる情報処理プログラム。
【請求項１４】
見守り対象者の情報を取得する情報取得装置と、前記見守り対象者の情報に基づいて生成した情報を前記見守り対象者に報知する情報処理装置と、を備える見守りシステムであって、
前記情報取得装置は、近距離通信信号が送達可能な距離間隔で設置され、
見守り対象者が携帯する通信機器から、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置から送信された、前記見守り対象者の動作を指示するための情報を受信する指示情報受信手段と、
前記見守り対象者の動作を指示するための情報を報知する指示情報報知手段と、
を備え、
前記情報処理装置は、
近距離通信信号に含まれる信号識別子と、前記近距離通信信号を発信する通信機器を携帯する見守り対象者とを対応付けて登録する登録手段と、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信手段と、
を備える見守りシステム。
【請求項１５】
近距離通信信号が送達可能な距離間隔で設置されて見守り対象者の情報を取得する情報取得装置と、前記見守り対象者の情報に基づいて生成した情報を前記見守り対象者に報知する情報処理装置と、を備える見守りシステムにおける見守り方法であって、
前記情報処理装置が、近距離通信信号に含まれる信号識別子と、前記近距離通信信号を発信する通信機器を携帯する見守り対象者とを対応付けて登録手段に登録する登録ステップと、
前記情報取得装置が、見守り対象者が携帯する通信機器から、信号識別子を含む近距離通信信号を受信する信号受信ステップと、
前記情報取得装置が、前記信号識別子を含む近距離通信信号を受信した場合に、前記見守り対象者の状態を確認するための情報と、前記見守り対象者を取り巻く環境情報とを取得する情報取得ステップと、
前記情報取得装置が、前記見守り対象者の状態を確認するための情報と、前記見守り対象者を取り巻く環境情報とを、前記信号識別子に対応付けて前記情報処理装置に送信する情報送信ステップと、
前記情報処理装置が、前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
前記情報処理装置が、複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
前記情報取得装置が、前記情報処理装置から送信された、前記見守り対象者の動作を指示するための情報を受信する指示情報受信ステップと、
前記情報取得装置が、前記見守り対象者の動作を指示するための情報を報知する指示情報報知ステップと、
を含む見守り方法。
【発明の詳細な説明】
【技術分野】
【０００１】
本発明は、対象者を見守るための技術に関する。
【背景技術】
【０００２】
上記技術分野において、特許文献１には、ランドセルに取り付けられたビーコン端末からのビーコン信号を検知端末で検知して、児童の居場所を検出して保護者端末に通知する技術が開示されている。また、特許文献２には、携帯発信器からのビーコン受信の継続が閾値を超えると、ビーコンリーダが滞留ビーコンとして管理する技術が開示されている。
【先行技術文献】
【特許文献】
【０００３】
【特許文献１】特許第５８９８８０８号公報
【特許文献２】特開２０１６−１１０４０４号公報
【発明の概要】
【発明が解決しようとする課題】
【０００４】
しかしながら、上記文献に記載の技術では、見守り対象者の居場所や滞留を検出するけれども、見守り者が見守り対象者の現在の状態を詳細に把握することができなかった。
【０００５】
本発明の目的は、上述の課題を解決する技術を提供することにある。
【課題を解決するための手段】
【０００６】
上記目的を達成するため、本発明に係る情報取得装置は、
近距離通信信号が送達可能な距離間隔で設置される情報取得装置であって、
見守り対象者が携帯する通信機器から、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置から送信された、前記見守り対象者の動作を指示するための情報を受信する指示情報受信手段と、
前記見守り対象者の動作を指示するための情報を報知する指示情報報知手段と、
を備える。
【０００７】
上記目的を達成するため、本発明に係る情報取得方法は、
近距離通信信号が送達可能な距離間隔で設置される情報取得装置の情報取得方法であって、
見守り対象者が携帯する通信機器から、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置から送信された、前記見守り対象者の動作を指示するための情報を受信する指示情報受信ステップと、
前記見守り対象者の動作を指示するための情報を報知する指示情報報知ステップと、
を含む。
【０００８】
上記目的を達成するため、本発明に係る情報取得プログラムは、
近距離通信信号が送達可能な距離間隔で設置される情報取得装置の情報取得プログラムであって、
見守り対象者が携帯する通信機器から、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置から送信された、前記見守り対象者の動作を指示するための情報を受信する指示情報受信ステップと、
前記見守り対象者の動作を指示するための情報を報知する指示情報報知ステップと、
をコンピュータに実行させる。
【０００９】
上記目的を達成するため、本発明に係る情報処理装置は、
上記情報取得装置から送信される見守り対象者の信号識別子を処理する情報処理装置であって、
近距離通信信号に含まれる信号識別子と、前記近距離通信信号を発信する通信機器を携帯する見守り対象者とを対応付けて登録する登録手段と、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信手段と、
を備える。
【００１０】
上記目的を達成するため、本発明に係る情報処理方法は、
上記情報取得装置から送信される見守り対象者の信号識別子を処理する情報処理装置の情報処理方法であって、
近距離通信信号に含まれる信号識別子と、前記近距離通信信号を発信する通信機器を携帯する見守り対象者とを対応付けて登録手段に登録する登録ステップと、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
を含む。
【００１１】
上記目的を達成するため、本発明に係る情報処理プログラムは、
上記情報取得装置から送信される見守り対象者の信号識別子を処理する情報処理装置の情報処理プログラムであって、
近距離通信信号に含まれる信号識別子と、前記近距離通信信号を発信する通信機器を携帯する見守り対象者とを対応付けて登録手段に登録する登録ステップと、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
をコンピュータに実行させる。
【００１２】
上記目的を達成するため、本発明に係る見守りシステムは、
見守り対象者の情報を取得する情報取得装置と、前記見守り対象者の情報に基づいて生成した情報を前記見守り対象者に報知する情報処理装置と、を備える見守りシステムであって、
前記情報取得装置は、近距離通信信号が送達可能な距離間隔で設置され、
見守り対象者が携帯する通信機器から、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置から送信された、前記見守り対象者の動作を指示するための情報を受信する指示情報受信手段と、
前記見守り対象者の動作を指示するための情報を報知する指示情報報知手段と、
を備え、
前記情報処理装置は、
近距離通信信号に含まれる信号識別子と、前記近距離通信信号を発信する通信機器を携帯する見守り対象者とを対応付けて登録する登録手段と、
見守り対象者が携帯する通信機器から信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信手段と、
を備える。
【００１３】
上記目的を達成するため、本発明に係る見守り方法は、
近距離通信信号が送達可能な距離間隔で設置されて見守り対象者の情報を取得する情報取得装置と、前記見守り対象者の情報に基づいて生成した情報を前記見守り対象者に報知する情報処理装置と、を備える見守りシステムにおける見守り方法であって、
前記情報処理装置が、近距離通信信号に含まれる信号識別子と、前記近距離通信信号を発信する通信機器を携帯する見守り対象者とを対応付けて登録手段に登録する登録ステップと、
前記情報取得装置が、見守り対象者が携帯する通信機器から、信号識別子を含む近距離通信信号を受信する信号受信ステップと、
前記情報取得装置が、前記信号識別子を含む近距離通信信号を受信した場合に、前記見守り対象者の状態を確認するための情報と、前記見守り対象者を取り巻く環境情報とを取得する情報取得ステップと、
前記情報取得装置が、前記見守り対象者の状態を確認するための情報と、前記見守り対象者を取り巻く環境情報とを、前記信号識別子に対応付けて前記情報処理装置に送信する情報送信ステップと、
前記情報処理装置が、前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
前記情報処理装置が、複数の前記情報取得装置から受信した複数の前記環境情報と、各情報取得装置から受信した前記見守り対象者の状態を確認するための情報とに基づいて、前記見守り対象者の動作を指示するための情報を生成して、前記信号識別子に対応する前記各情報取得装置に送信する指示情報送信ステップと、
前記情報取得装置が、前記情報処理装置から送信された、前記見守り対象者の動作を指示するための情報を受信する指示情報受信ステップと、
前記情報取得装置が、前記見守り対象者の動作を指示するための情報を報知する指示情報報知ステップと、
を含む。
【発明の効果】
【００１４】
本発明によれば、検出された見守り対象者の現在の状態を詳細に把握して指示をすることができる。
【図面の簡単な説明】
【００１５】
【図１】本発明の第１実施形態に係る情報取得装置の構成を示すブロック図である。
【図２】本発明の第２実施形態に係る情報取得装置を含む情報処理システムの概要を示す図である。
【図３】本発明の第２実施形態に係る情報取得装置を含む情報処理システムの動作手順を示すシーケンス図である。
【図４】本発明の第２実施形態に係る情報取得装置の機能構成を示すブロック図である。
【図５】本発明の第２実施形態に係る情報取得テーブルの構成を示す図である。
【図６】本発明の第２実施形態に係る情報処理装置の機能構成を示すブロック図である。
【図７】本発明の第２実施形態に係る見守り対象者登録テーブルの構成を示す図である。
【図８Ａ】本発明の第２実施形態に係る見守り対象者追跡テーブルの構成を示す図である。
【図８Ｂ】本発明の第２実施形態に係るイベント発生時の取得データ格納テーブルの構成を示す図である。
【図８Ｃ】本発明の第２実施形態に係る見守り情報通知テーブルの構成を示す図である。
【図９】本発明の第２実施形態に係る情報取得装置のハードウェア構成を示すブロック図である。
【図１０】本発明の第２実施形態に係る情報取得装置の処理手順を示すフローチャートである。
【図１１】本発明の第２実施形態に係る情報処理装置のハードウェア構成を示すブロック図である。
【図１２】本発明の第２実施形態に係る情報処理装置の処理手順を示すフローチャートである。
【図１３】本発明の第３実施形態に係る情報取得装置を含む情報処理システムの動作手順を示すシーケンス図である。
【図１４】本発明の第４実施形態に係る情報取得装置の機能構成を示すブロック図である。
【図１５】本発明の第５実施形態に係る情報取得装置を含む情報処理システムの動作手順を示すシーケンス図である。
【図１６】本発明の第６実施形態に係る情報取得装置を含む情報処理システムの概要を示す図である。
【発明を実施するための形態】
【００１６】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１７】
［第１実施形態］
本発明の第１実施形態としての情報取得装置１００について、図１を用いて説明する。情報取得装置１００は、見守りのために対象者の情報を取得する装置である。
【００１８】
図１に示すように、情報取得装置１００は、信号受信部１０１と、イベント発生判定部１０２と、確認情報取得部１０３と、情報送信部１０４と、を含む。信号受信部１０１は、見守り対象者が携帯する通信機器１２０から、信号識別子１１１を含む近距離通信信号を受信する。イベント発生判定部１０２は、同じ信号識別子を含む近距離通信信号の受信履歴から、見守り対象者に関連するイベントの発生を判定する。確認情報取得部１０３は、見守り対象者に関連するイベントの発生と判定した場合に、見守り対象者の状態を確認するための情報１３１を取得する。情報送信部１０４は、見守り対象者の状態を確認するための情報１４１を、信号識別子に対応付けて送信する。
【００１９】
本実施形態によれば、見守り対象者に関連するイベントの発生と判定した場合に見守り対象者の状態を確認するための情報を取得するので、見守り者が、検出された見守り対象者の現在の状態を詳細に把握することができる。
【００２０】
［第２実施形態］
次に、本発明の第２実施形態に係る情報取得装置について説明する。本実施形態に係る情報取得装置は、街中の電柱などに設置されて、見守り対象者が携帯する通信機器からの近距離通信信号であるビーコン信号を受信して信号識別子（以下、信号ＩＤ）を識別する。そして、見守り対象者に事故を含むイベントが発生していると判定した場合に、見守り対象者の状態を確認するための情報として、見守り対象者を含む映像を撮像する撮像部（カメラ）と見守り対象者に関連する音声を取得する音声入力部（マイク）とを起動させて、見守り対象者の現在の状態を取得して情報処理装置（サーバ）に送信する。サーバは、本見守りシステムのユーザである見守り者の通信装置に見守り対象者の現在の状態を通知する。なお、撮像部（カメラ）や音声入力部（マイク）は、常時起動しておき、イベント発生時に情報処理装置（サーバ）に送信する構成であってもよい。
【００２１】
情報取得装置のイベント発生判定では、同じ信号識別子を含む近距離通信信号を、所定時間を超えて継続して受信した場合に、見守り対象者に関連するイベントの発生と判定する。また、情報取得装置は、見守り対象者に関連するイベントの発生を判定した場合に、信号識別子に対応する見守り対象者の動作を指示するための情報を受信する指示情報受信部と、見守り対象者の動作を指示するための情報を報知する指示情報報知手段を、さらに備える。
【００２２】
《情報処理システム》
図２および図３を参照して、本発明の第２実施形態に係る情報取得装置２１０を含む情報処理システム２００の構成および動作について説明する。
【００２３】
（概要）
図２は、本実施形態に係る情報取得装置２１０を含む情報処理システム２００の概要を示す図である。
【００２４】
情報処理システム２００は、各電柱に設定されたレシーバとしての情報取得装置２１０と、クラウドサーバとして機能する情報処理装置２２０と、情報処理装置２２０にネットワーク２５０を介して接続される見守り者の情報処理装置２３０、２４０と、を備える。
【００２５】
情報取得装置２１０は、近距離通信信号、例えば、子供２１１、２１２、２１３や高齢者２２１、２２２が携帯するビーコン発信機からのビーコン信号を受信すると、ビーコン信号から信号ＩＤを抽出して、ビーコン発信機を特定することで、情報取得装置２１０の周囲に居る見守り対象者を特定する。
【００２６】
１つの例として、かかる同じ見守り対象者のビーコン信号の受信を、時系列に情報取得装置２１０の位置とビーコン発信機を携帯する見守り対象者と関連付けると、特定の見守り対象者の移動履歴を生成することができる。図２においては、情報処理装置２２０は、子供２１１が交差点を右に曲がって子供２１３の位置に移動したこと、あるいは、高齢者２２１が交差点を右に曲がって高齢者２２２の位置に移動したことを認識する。そして、情報処理装置２２０は、見守り者の情報処理装置２３０に対してその表示画面の行動履歴２３１によって、見守り対象者の子供２１１が交差点を右に曲がって子供２１３の位置に移動したことをその時刻と共に報知し、また、子供２１３が座り込んでいる状態を映像２３２として表示する。また、子供２１３の周囲の音声を報知してもよい。一方、情報処理装置２２０は、見守り者の情報処理装置２４０に対してその表示画面２４１によって、見守り対象者の高齢者２２１が交差点を右に曲がって高齢者２２２の位置に移動したことをその時刻と共に報知し、また、高齢者２２２が倒れている状態を映像２４２として表示する。また、高齢者２２２の周囲の音声を報知してもよい。
【００２７】
別の例として、常時、全ての取得情報を取得して見守り者に報知するのではなく、例えば、見回り対象者がある位置に閾値を超える時間、滞在している場合に、見守り対象者になんらかの異変があったと推測し、取得情報を取得して見守り者に報知する構成であってもよい。その場合、見守り者の情報処理装置２３０、２４０に対しては、まず見守り対象者が座り込んでいる映像２３２や倒れている映像２４２が表示され、見守り者からの行動履歴の要求に対して過去の行動履歴２３１や２４１が報知されるようになる。
【００２８】
なお、情報取得装置２１０の設置は電柱に限らない。ビーコン信号などの近距離通信信号が送達可能な距離間隔にあって、情報取得装置２１０の設置が可能なものであればよい。例えば、ガードレールであったり、地下に埋めたりすることも可能である。
【００２９】
（動作シーケンス）
図３は、本実施形態に係る情報取得装置２１０を含む情報処理システム２００の動作手順を示すシーケンス図である。
【００３０】
クラウドサーバとして機能する情報処理装置２２０は、ステップＳ３０１において、レシーバとして機能する各情報取得装置２１０に対して見守りアプリケーションを配信あるいは更新を行なう。また、情報処理装置２２０は、ステップＳ３０３において、見守り者の装置である情報処理装置２３０、２４０に対して見守りアプリケーションを配信あるいは更新を行なう。そして、各情報取得装置２１０、情報処理装置２２０および情報処理装置２３０、２４０は、ステップＳ３０５において、見守りアプリケーションを起動する。
【００３１】
情報処理装置２３０、２４０は、ステップＳ３０７において、見守り者の対象とする見守り対象者を情報処理装置２２０に登録する。情報処理装置２２０は、ステップＳ３０９において、見守り対象者を対応する情報取得装置２１０に対して通知する。なお、通知先の情報取得装置２１０は、見守り対象者が移動する範囲にあるものであるのが望ましい。
【００３２】
情報取得装置２１０は、ステップＳ３１１において、見守り対象者２１１〜２１３、２２１、２２２などが携帯するビーコン発信機からのビーコン信号を受信する。なお、見守り対象者２１１〜２１３、２２１、２２２などが携帯するビーコン発信機は、携帯カードや名札などに含まれていればよい。
【００３３】
情報取得装置２１０は、ステップＳ３１３において、ビーコン信号から信号ＩＤまたは対象者ＩＤを抽出し、登録された見守り対象者であれば、対象者を撮像あるいは音声を取得して、情報処理装置２２０に送信する。情報処理装置２２０は、ステップＳ３１５において、受信した見守り対象者の取得情報を対応する見守り者の装置である情報処理装置２３０、２４０に通知する。情報処理装置２３０、２４０は、ステップＳ３１７において、通知された見守り対象者の取得情報を報知する。
【００３４】
また、情報取得装置２１０は、ステップＳ３２１において、ビーコン信号から信号ＩＤまたは対象者ＩＤを抽出し、対象者の滞在時間が閾値以上であれば、対象者を撮像あるいは音声を取得して、情報処理装置２２０に送信する。情報処理装置２２０は、ステップＳ３２３において、受信した滞在時間の長い対象者の取得情報を対応する見守り者の装置である情報処理装置２３０、２４０に通知する。情報処理装置２３０、２４０は、ステップＳ３２５において、通知された滞在時間の長い対象者の取得情報を報知する。
【００３５】
なお、本例では、登録された見守り対象者である場合、あるいは、対象者の滞在時間が閾値以上である場合に、対象者を撮像あるいは音声を取得したが、常時、撮像あるいは音声を取得しておき、登録された見守り対象者である場合、あるいは、対象者の滞在時間が閾値以上である場合に、情報処理装置２２０に送信する構成であってもよい。
【００３６】
また、情報処理装置２３０、２４０は、ステップＳ３３１において、見守り者へ見守り対象者の現在の状態の報知を行ない、見守り者の見守り対象者への指示を受け付けて、情報処理装置２２０に送信する。情報処理装置２２０は、ステップＳ３３３において、見守り対象者への指示を見守り対象者が今居る場所の情報取得装置２１０に送信する。情報取得装置２１０は、ステップＳ３３５において、受信した見守り対象者への指示を見守り対象者に音声出力部（スピーカ）から報知する。なお、報知方法は、音声出力部（スピーカ）からの音声出力に限定されない。
【００３７】
また、情報処理装置２３０、２４０から、ステップＳ３４１において、見守り者から見守り対象者の移動経路についての情報の要求を受けると、その旨を情報処理装置２２０に送信する。情報処理装置２２０は、ステップＳ３４３において、見守り対象者の履歴から移動経路を生成して、情報処理装置２３０、２４０に通知する。情報処理装置２３０、２４０は、ステップＳ３４５において、通知された見守り対象者の移動経路を見守り者に報知する。
【００３８】
《情報取得装置の機能構成》
図４は、本実施形態に係る情報取得装置２１０の機能構成を示すブロック図である。
【００３９】
情報取得装置２１０は、通信制御部４０１と、見守りアプリ受信部４０２と、見守りアプリ実行部４０３と、を備える。また、情報取得装置２１０は、ビーコン受信部４０４と、データベース４０５と、撮像部４０６と、音声入力部４０７と、音声出力部４０８と、を備える。
【００４０】
通信制御部４０１は、クラウドサーバとしての情報処理装置２２０との通信を制御する。見守りアプリ受信部４０２は、情報処理装置２２０から見守りアプリケーションを受信する。見守りアプリ実行部４０３は、受信した見守りアプリケーションを実行する。ビーコン受信部４０４は、見守り対象者２１１〜２１３、２２１、２２２などが携帯するビーコン発信機からのビーコン信号を受信する。データベース４０５は、情報取得装置２１０の動作に使用するデータやパラメータ、プログラムを格納すると共に、情報取得装置２１０が取得した見守り対象者の情報を格納する。撮像部４０６は、情報取得装置２１０の設置位置の周囲の映像を撮像する。音声入力部４０７は、情報取得装置２１０の設置位置の周囲の音声を取得する。音声出力部４０８は、見守り対象者への報知情報あるいは指示情報を出力する。
【００４１】
見守りアプリ実行部４０３は、見守り対象者受信部４３１と、対象者情報取得部４３２と、対象者情報通知部４３３と、対象者指示受信部４３４と、対象者指示部４３５と、を有する。また、見守りアプリ実行部４０３は、信号ＩＤ抽出部４３６と、見守り対象者判定部４３７と、滞在時間判定部４３８と、を有する。
【００４２】
見守り対象者受信部４３１は、登録された見守り対象者の情報を情報処理装置２２０から受信する。対象者情報取得部４３２は、見守り対象者の現在の状態を取得する条件を満たす場合に、撮像部４０６や音声入力部４０７から情報を収集する。対象者情報通知部４３３は、情報処理装置２２０に対して対象者情報取得部４３２が取得した見守り対象者の情報を通知する。対象者指示受信部４３４は、情報処理装置２２０からの見守り対象者への指示を受信する。対象者指示部４３５は、見守り対象者への情報の報知あるいは指示を、音声出力部４０８を介して行なう。
【００４３】
信号ＩＤ抽出部４３６は、見守り対象者２１１〜２１３、２２１、２２２などが携帯するビーコン発信機から受信したビーコン信号から信号ＩＤを抽出する。見守り対象者判定部４３７は、信号ＩＤから見守り対象者を特定する。滞在時間判定部４３８は、見守り対象者が閾値を超えて同じ情報取得装置２１０にビーコンを送り続けている場合に、何らかの事故が発生したと判定して、対象者情報取得部４３２を起動させる。
【００４４】
（情報取得テーブル）
図５は、本実施形態に係る情報取得テーブル５００の構成を示す図である。情報取得テーブル５００は、データベース４０５にあって情報取得装置２１０が取得した見守り対象者の情報を保持する。
【００４５】
情報取得テーブル５００は、ビーコンの信号ＩＤ５０１に対応付けて、見守り対象者５０２と、継続する受信時間５０３と、受信時間５０３が超えたか否かの滞在時間閾値５０４と、見守り対象者に関する取得情報５０５と、を記憶する。見守り対象者に関する取得情報５０５には、撮像した映像（画像）や音声などが含まれる。
【００４６】
《情報処理装置の機能構成》
図６は、本実施形態に係る情報処理装置２２０の機能構成を示すブロック図である。
【００４７】
情報処理装置２２０は、通信制御部６０１と、アプリ配信部６０２と、データベース６０３と、対象者情報受信部６０４と、対象者情報格納部６０５と、を備える。また、情報処理装置２２０は、見守り対象者受信部６０６と、見守り対象者通知部６０７と、対象者報知情報生成部６０８と、対象者情報報知部６０９と、対象者指示受信部６１０と、対象者指示送信部６１１と、を備える。
【００４８】
通信制御部６０１は、複数の情報取得装置２１０および複数の見守り者の情報処理装置２３０、２４０との通信を制御する。アプリ配信部６０２は、複数の情報取得装置２１０および複数の見守り者の情報処理装置２３０、２４０に見守りアプリケーションを配信する。データベース６０３は、情報処理装置２２０の動作に使用するデータやパラメータ、プログラムを格納すると共に、情報処理装置２２０が取得した見守り対象者の情報を格納する。対象者情報受信部６０４は、情報取得装置２１０から送信された見守り対象者の情報を受信する。対象者情報格納部６０５は、受信した見守り対象者の情報をデータベース６０３に登録する。
【００４９】
見守り対象者受信部６０６は、見守り者の情報処理装置２３０、２４０から登録指示された見守り対象者の情報を受信してデータベース６０３に登録する。見守り対象者通知部６０７は、登録された見守り対象者の情報を情報取得装置２１０に送信する。対象者報知情報生成部６０８は、見守り者の情報処理装置２３０、２４０に報知する見守り対象者の情報を生成する。対象者情報報知部６０９は、生成された見守り対象者の情報を見守り者の情報処理装置２３０、２４０に報知する。
【００５０】
対象者指示受信部６１０は、見守り者の情報処理装置２３０、２４０から見守り対象者への指示を受信する。対象者指示送信部６１１は、情報処理装置２３０、２４０から受信した見守り対象者への指示、または、情報処理装置２２０が生成する見守り対象者への指示を、情報取得装置２１０に送信する。
【００５１】
（見守り対象者登録テーブル）
図７は、本実施形態に係る見守り対象者登録テーブル７００の構成を示す図である。対象者登録テーブル７００は、見守り者から登録された見守り対象者の情報を記憶する。なお、見守り対象者登録テーブル７００は、情報取得装置２１０のデータベース４０５にあっても、情報処理装置２２０のデータベース６０３にあってもよい。
【００５２】
見守り対象者登録テーブル７００は、見守り対象者ＩＤ７０１に対応付けて、ビーコンの信号ＩＤ７０２と、見守り対象者の属性７０３と、見守り内容７０４と、を記憶する。見守り対象者の属性７０３には、見守り対象者が子供であるか高齢者であるかなどが含まれる。見守り内容７０４には、事故、迷子、徘徊などが含まれる。
【００５３】
（見守り対象者追跡テーブル）
図８Ａは、本実施形態に係る見守り対象者追跡テーブル８１０の構成を示す図である。見守り対象者追跡テーブル８１０は情報処理装置２２０のデータベース６０３にあって、見守り対象者の移動履歴を追跡した情報を記憶する。
【００５４】
見守り対象者追跡テーブル８１０は、見守り対象者ＩＤ８１１とビーコンの信号ＩＤ８１２とに対応付けて、複数の情報取得装置ＩＤ８１３と、ビーコン信号の受信日時（タイムスタンプ）８１４と、情報処理装置の設置された地図上の位置８１５と、を記憶する。情報処理装置の設置された地図上の位置８１５を同じビーコンの受信日時の順に並べると、見守り対象者の移動履歴を生成することができる。
【００５５】
（取得データ格納テーブル）
図８Ｂは、本実施形態に係るイベント発生時の取得データ格納テーブル８２０の構成を示す図である。取得データ格納テーブル８２０は情報処理装置２２０のデータベース６０３にあって、イベント発生時に取得した見守り対象者のデータを格納する。
【００５６】
取得データ格納テーブル８２０は、見守り対象者８２１に対応付けて、複数の位置情報８２２と、取得日時８２３と、取得情報８２４と、を記憶する。位置情報８２２には、情報取得装置のＩＤと設置位置データとを含み、取得情報８２４には、撮像データと音声データとを含む。
【００５７】
（見守り情報通知テーブル）
図８Ｃは、本実施形態に係る見守り情報通知テーブル８３０の構成を示す図である。見守り情報通知テーブル８３０は情報処理装置２２０のデータベース６０３にあって、見守り者の情報処理装置２３０、２４０への通知情報を記憶する。
【００５８】
見守り情報通知テーブル８３０は、見守り対象者８３１と見守り者の通知先８３２とを対応付けて、見守り対象者の移動情報を含む位置情報８３３と、取得日時８３４と、取得情報８３５と、を記憶する。位置情報８３３には、情報取得装置のＩＤと設置位置データとを含み、取得情報８２４には、撮像データと音声データとを含む。
【００５９】
《情報取得装置のハードウェア構成》
図９は、本実施形態に係る情報取得装置２１０のハードウェア構成を示すブロック図である。
【００６０】
図９で、ＣＰＵ(Central Processing Unit)９１０は演算制御用のプロセッサであり、プログラムを実行することで図４の機能構成部を実現する。ＣＰＵ９１０は複数のプロセッサを有し、異なるプログラムやモジュール、タスク、スレッドなどを並行して実行してもよい。ＲＯＭ(Read Only Memory)９２０は、初期データおよびプログラムなどの固定データおよびプログラムを記憶する。ネットワークインタフェース９３０は、ネットワークを介して、情報処理装置２２０との通信を制御する。
【００６１】
ＲＡＭ(Random Access Memory)９４０は、ＣＰＵ９１０が一時記憶のワークエリアとして使用するランダムアクセスメモリである。ＲＡＭ９４０には、本実施形態の実現に必要なデータを記憶する領域が確保されている。ビーコン信号ＩＤ９４１は、受信したビーコン信号から抽出された信号ＩＤである。発信者情報９４２は、ビーコン信号ＩＤ９４１から識別した発信者の情報である。見守り対象者判定結果９４３は、発信者の情報から判定した見守り対象者のデータである。滞在時間判定結果９４４は、見守り対象者が同じ情報取得装置付近に閾値を超えた時間滞在しているか否かの判定結果である。撮像データ９４５は、撮像部（カメラ）４０６が撮像した映像データである。音声入力データ９４６は、音声入力部（マイク）４０７が入力した音声データである。音声出力データ９４７は、音声出力部（スピーカ）４０８が出力する音声データである。送受信データ９４８は、ネットワークインタフェース９３０を介して、情報処理装置２２０と送受信するデータである。
【００６２】
ストレージ９５０は、データベースや各種のパラメータ、あるいは本実施形態の実現に必要な以下のデータまたはプログラムが記憶されている。データベース４０５は、情報取得装置２１０の動作に使用するデータやパラメータを格納すると共に、情報取得装置２１０が取得した見守り対象者の情報を格納する。見守り対象者登録テーブル７００は、図７で説明したように、見守り者の情報処理装置２３０、２４０から登録され、情報処理装置２２０から通知された見守り対象者を記憶する。滞在時間閾値５０４は、見守り対象者の滞在時間を判定するための閾値である。
【００６３】
ストレージ９５０には、以下のプログラムが格納される。情報取得制御プログラム９５１は、情報取得装置２１０の全体を制御するためのプログラムである。ビーコン発信者特定モジュール９５２は、受信したビーコンの信号ＩＤから発信機を携帯する見守り対象者を特定するモジュールである。滞在時間判定モジュール９５３は、滞在時間閾値５０４に基づいて、見守り対象者の滞在時間を判定するモジュールである。対象者情報取得モジュール９５４は、撮像部４０６や音声入力部４０７を用いて見守り対象者の現在の状態を取得するモジュールである。対象者情報通知モジュール９５５は、取得した見守り対象者の現在の状態を情報処理装置２２０に通知するモジュールである。対象者指示モジュール９５６は、情報処理装置２２０あるいは見守り者の装置からの見守り対象者への指示情報を音声出力部４０８から報知するモジュールである。
【００６４】
入出力インタフェース９６０は、周辺機器との入出力をインタフェースする。入出力インタフェース９６０には、ビーコン受信部４０４と、撮像部４０６と、音声入力部４０７と、音声出力部４０８と、が接続される。なお、他の周辺機器が接続されてもよい。
【００６５】
なお、図９のＲＡＭ９４０やストレージ９５０には、情報取得装置２１０が有する汎用の機能や他の実現可能な機能に関連するプログラムやデータは図示されていない。
【００６６】
《情報取得装置の処理手順》
図１０は、本実施形態に係る情報取得装置２１０の処理手順を示すフローチャートである。このフローチャートは、ＣＰＵ９１０がＲＡＭ９４０を使用して実行し、図４の機能構成部を実現する。
【００６７】
情報取得装置２１０は、ステップＳ１００１において、ビーコンの受信を待つ。ビーコンの受信があれば、情報取得装置２１０は、ステップＳ１００３において、ビーコンから信号ＩＤを抽出する。そして、情報取得装置２１０は、ステップＳ１００５において、信号ＩＤから判定された対象者が登録された見守り対象者であるか否かを判定する。
【００６８】
対象者が登録された見守り対象者である場合、情報取得装置２１０は、ステップＳ１００７において、見守り対象者を含む撮像情報と音声情報とを取得する。そして、情報取得装置２１０は、ステップＳ１００９において、見守り対象者を含む撮像情報と音声情報を、信号ＩＤ（または、見守り対象者ＩＤ）と共に情報処理装置２２０に送信する。
【００６９】
一方、登録された見守り対象者でない場合、情報取得装置２１０は、ステップＳ１０１１において、同じ信号ＩＤが受信されているかを判定する。同じ信号ＩＤが受信されていれば、情報取得装置２１０は、ステップＳ１０１３において、滞在時間（同じ信号ＩＤが継続されて受信される時間）が閾値Ｔを超えるか否かを判定する。滞在時間が閾値Ｔを超える場合、情報取得装置２１０は、ステップＳ１００７以降の処理を行なう。同じ信号ＩＤの受信でない場合、または、滞在時間が閾値Ｔ以下の場合、情報取得装置２１０は、ステップＳ１００１に戻って、ビーコンの受信を繰り返す。
【００７０】
情報取得装置２１０は、ステップＳ１０１５において、見守り対象者への指示を情報処理装置２２０から受信、あるいは、見守り者の装置から情報処理装置２２０を介して受信したか否かを判定する。見守り対象者への指示を受信した場合、情報取得装置２１０は、ステップＳ１０１７において、見守り対象者に対して音声出力部４０８から指示を出力する。見守り対象者への指示を受信しない場合、情報取得装置２１０は、ステップＳ１００１に戻って、ビーコンの受信を繰り返す。
【００７１】
なお、ステップＳ１００５において、登録された見守り対象者の場合に全て撮像情報や音声情報を取得するように判定したが、登録された見守り対象者であっても滞在時間が閾値以下であれば撮像情報や音声情報を取得しないように制御することもできる。
【００７２】
《情報処理装置のハードウェア構成》
図１１は、本実施形態に係る情報処理装置２２０のハードウェア構成を示すブロック図である。
【００７３】
図１１で、ＣＰＵ１１１０は演算制御用のプロセッサであり、プログラムを実行することで図４の機能構成部を実現する。ＣＰＵ１１１０は複数のプロセッサを有し、異なるプログラムやモジュール、タスク、スレッドなどを並行して実行してもよい。ＲＯＭ１１２０は、初期データおよびプログラムなどの固定データおよびプログラムを記憶する。ネットワークインタフェース１１３０は、ネットワークを介して、情報取得装置２１０または見守り者の情報処理装置２３０、２４０との通信を制御する。
【００７４】
ＲＡＭ１１４０は、ＣＰＵ１１１０が一時記憶のワークエリアとして使用するランダムアクセスメモリである。ＲＡＭ１１４０には、本実施形態の実現に必要なデータを記憶する領域が確保されている。情報取得装置ＩＤ１１４１は、見守り対象者のビーコンを受信した情報取得装置を識別するデータである。情報取得位置情報１１４２は、情報取得装置ＩＤ１１４１から取得したビーコンを受信した位置情報である。ビーコン信号ＩＤ１１４３は、受信したビーコン信号から抽出された信号ＩＤである。発信者情報１１４４は、ビーコン信号ＩＤ１１４３から識別した発信者の情報である。見守り対象者判定結果１１４５は、発信者の情報から判定した見守り対象者のデータである。撮像データ１１４６は、情報取得装置２１０から受信した見守り対象者を含む映像データである。音声入力データ１１４７は、情報取得装置２１０から受信した見守り対象者を含む音声データである。音声出力データ１１４８は、情報取得装置２１０に送信して見守り対象者に指示する音声データである。送受信データ１１４９は、ネットワークインタフェース１１３０を介して、情報取得装置２１０や見守り者の情報処理装置２３０、２４０と送受信するデータである。
【００７５】
ストレージ１１５０は、データベースや各種のパラメータ、あるいは本実施形態の実現に必要な以下のデータまたはプログラムが記憶されている。データベース６０３は、情報処理装置２２０の動作に使用するデータやパラメータを格納すると共に、情報処理装置２２０が取得した見守り対象者の情報を格納する。見守り対象者登録テーブル７００は、図７に示したように、見守り者の情報処理装置２３０、２４０から登録され、見守り対象者を記憶する。見守り対象者追跡テーブル８１０は、図８Ａに示したように、見守り対象者の移動履歴を追跡した情報を記憶する。取得データ格納テーブル８２０は、図８Ｂに示したように、イベント発生時に取得した見守り対象者のデータを格納する。見守り情報通知テーブル８３０は、図８Ｃに示したように、見守り者の情報処理装置２３０、２４０への通知情報を記憶する。
【００７６】
ストレージ１１５０には、以下のプログラムが格納される。情報処理プログラム１１５１は、情報処理装置２２０の全体を制御するためのプログラムである。情報取得装置制御モジュール１１５２は、情報取得装置２１０と通信し、情報取得装置２１０を制御するモジュールである。見守り者装置制御モジュール１１５３は、見守り者の情報処理装置２３０、２４０と通信し、見守り者の情報処理装置２３０、２４０を制御するモジュールである。
【００７７】
なお、図１１のＲＡＭ１１４０やストレージ１１５０には、情報処理装置２２０が有する汎用の機能や他の実現可能な機能に関連するプログラムやデータは図示されていない。
【００７８】
《情報処理装置の処理手順》
図１２は、本実施形態に係る情報処理装置２２０の処理手順を示すフローチャートである。このフローチャートは、ＣＰＵ１１１０がＲＡＭ１１４０を使用して実行し、図６の機能構成部を実現する。
【００７９】
情報処理装置２２０は、ステップＳ１２１１において、情報取得装置２１０へのデータの設定であるか否かを判定する。情報取得装置２１０へのデータの設定であれば、情報処理装置２２０は、ステップＳ１２１３において、設定すべきデータを取得したり、新たに生成したりする。そして、情報処理装置２２０は、ステップＳ１２１５において、情報取得装置２１０に設定すべきあるいは通知すべきデータを送信する。
【００８０】
情報取得装置２１０へのデータの設定でなければ、情報処理装置２２０は、ステップＳ１２２１において、情報取得装置２１０からのデータの受信であるか否かを判定する。情報取得装置２１０からのデータの受信であれば、情報処理装置２２０は、ステップＳ１２２３において、情報取得装置２１０とビーコンを受信して通知された見守り対象者とを特定する。情報処理装置２２０は、ステップＳ１２２５において、情報取得装置２１０および見守り対象者に対応する映像情報や音声情報などを含む取得情報を受信する。情報処理装置２２０は、ステップＳ１２２７において、見守り者の情報処理装置２３０、２４０への取得情報の送信を行なう。なお、送信する情報には、取得情報を編集処理した情報も含む。
【００８１】
情報取得装置２１０へのデータの設定でなく、情報取得装置２１０からのデータの受信でもなければ、情報処理装置２２０は、ステップＳ１２３１において、見守り者の情報処理装置２３０、２４０からのデータ受信であるか否かを判定する。見守り者の情報処理装置２３０、２４０からのデータ受信であれば、情報処理装置２２０は、ステップＳ１２３３において、見守り者の情報処理装置と見守り対象者とを対応付けて登録する。そして、情報処理装置２２０は、ステップＳ１２３５において、見守り者の情報処理装置からの指示があれば指示データを受信して記憶する。
【００８２】
なお、本実施形態においては、見守り対象者の情報を見守り者に報知する見守りシステムを説明したが、見守り対象者の情報の報知先は病院や警察署、保健所、役所などの他の見守り業務を含む機関であっても有用である。
【００８３】
本実施形態によれば、指定された見守り対象者であったり、滞在時間が閾値時間より長い場合に、対象者の映像や音声を取得したり対象者に行動指示をしたりする。したがって、見守り者が、検出された対象者の現在の状態を詳細に把握して、適切な行動指示をすることができる。
【００８４】
［第３実施形態］
次に、本発明の第３実施形態に係る情報取得装置について説明する本実施形態に係る情報取得装置は、上記第２実施形態と比べると、滞在時間の閾値を見守り対象者などの条件により設定する点で異なる。なお、滞在時間の閾値は、サーバが設定しても、サーバを介して見守り者が通信装置から設定してもよい。その他の構成および動作は、第２実施形態と同様であるため、同じ構成および動作については同じ符号を付してその詳しい説明を省略する。
【００８５】
（情報処理システムの動作シーケンス）
図１３は、本実施形態に係る情報取得装置を含む情報処理システムの動作手順を示すシーケンス図である。なお、図１３において、図３と同様のステップには同じステップ番号を付して、重複する説明を省略する。
【００８６】
見守り者の情報処理装置２３０、２４０は、ステップＳ１３０７において、見守り対象者の登録と共に、滞在時間閾値の入力を行なう。情報処理装置２２０は、ステップＳ１３０９において、登録された見守り対象者の情報取得装置２１０への通知と共に、登録された見守り対象者に対応する滞在時間閾値の情報取得装置２１０への設定を行なう。なお、滞在時間閾値の情報取得装置２１０への設定は、情報処理装置２２０が見守り対象者の属性を考慮して独自で行なってもよい。
【００８７】
本実施形態によれば、例えば、滞在時間の閾値を設定する構成を有することにより、見守り対象者に適応した見守り条件を設定することができる。
【００８８】
［第４実施形態］
次に、本発明の第４実施形態に係る情報取得装置について説明する。本実施形態に係る情報取得装置は、上記第２実施形態および第３実施形態と比べると、撮像部（カメラ）や音声入力部（マイク）に加えて、種々のセンサ類を有する点で異なる。かかるセンサ類は、常時起動していても災害などのイベント発生時に起動してもよい。その他の構成および動作は、第２実施形態または第３実施形態と同様であるため、同じ構成および動作については同じ符号を付してその詳しい説明を省略する。
【００８９】
《情報取得装置の機能構成》
図１４は、本実施形態に係る情報取得装置１４１０の機能構成を示すブロック図である。なお、図１４において、図４と同様の機能構成部には同じ参照番号を付して、重複する説明を省略する。
【００９０】
情報取得装置１４１０は、図４の構成に加えて、検出部（センサ）１４０９を有する。検出部（センサ）１４０９は、温度計や湿度計、放射線計測器などの環境情報の検出をするセンサや、見守り対象者の生体情報を検出するセンサが含まれる。なお、これらの検出部（センサ）１４０９は、常時検出しても、イベント発生時（見守り対象者の事故、あるいは、災害発生など）に検出を開始してもよい。
【００９１】
本実施形態によれば、センサ類により、対象者の取り巻く環境情報や対象者自身の検出情報を取得することにより、検出された対象者の現在の状態をより詳細に把握することができる。また、見守り者がより適切な行動指示をすることができる。
【００９２】
［第５実施形態］
次に、本発明の第５実施形態に係る情報取得装置について説明する。本実施形態に係る情報取得装置は、上記第２実施形態乃至第４実施形態と比べると、さらに、災害発生時の避難情報、特に、避難経路に関する情報を報知する点で異なる。その他の構成および動作は、第２実施形態から第４実施形態と同様であるため、同じ構成および動作については同じ符号を付してその詳しい説明を省略する。
【００９３】
（情報処理システムの動作シーケンス）
図１５は、本実施形態に係る情報取得装置を含む情報処理システムの動作手順を示すシーケンス図である。なお、図１５において、図３または図１３と同様のステップには同じステップ番号を付して、重複する説明を省略する。
【００９４】
災害発生時に、情報取得装置２１０が、ステップＳ１５３１において、見守り対象者２１１〜２１３、２２１、２２２などが携帯するビーコン発信機からビーコン信号を受信すると、情報取得装置２１０は、ステップＳ１５３３において、映像、音声および検出部（センサ）による環境情報を検出する。そして、情報取得装置２１０は、検出した環境情報（災害状況）を情報処理装置２２０に送信する。
【００９５】
情報処理装置２２０は、ステップＳ１５３５において、多数の情報取得装置２１０からの環境情報（災害状況）を取得する。そして、情報処理装置２２０は、ステップＳ１５３７において、多数の情報取得装置２１０からの環境情報（災害状況）を分析することによって、災害の現在の状況を把握して、避難情報（避難経路）を作成して、各情報取得装置２１０に適切な指示情報を送信する。
【００９６】
各情報取得装置２１０は、ステップＳ１５３９において、それぞれの場所に取って適切な避難情報（避難経路）を見守り対象者を含む避難者に報知する。
【００９７】
本実施形態によれば、街中における見守り対象者に対する見守りに加えて、災害時の状況を詳細に把握し、避難者に適切な指示または報知をすることができる。
【００９８】
［第６実施形態］
次に、本発明の第６実施形態に係る情報取得装置について説明する。本実施形態に係る情報取得装置は、上記第２実施形態乃至第５実施形態と比べると、街中における見守り対象者の見守りや災害発生時の情報報知でなく、学校や企業などの閉じた空間における見守り処理に適用される点で異なる。その他の構成および動作は、第２実施形態と同様であるため、同じ構成および動作については同じ符号を付してその詳しい説明を省略する。
【００９９】
《情報処理システムの概要》
図１６は、本実施形態に係る情報取得装置を含む情報処理システム１６００の概要を示す図である。なお、図１６において、図２と同様の構成要素には同じ参照番号を付して、重複する説明を省略する。
【０１００】
情報処理システム１６００は、学校や会社などの閉空間における見守り対象者（生徒や学生、社員）を見守るための、情報取得装置２１０と、情報処理装置２２０と、情報処理装置１６４０と、を備える。情報取得装置２１０は、見守り対象者が携帯するビーコン発信機からのビーコン信号の受信により、見守り対象者の現在の状態を取得する。情報処理装置２２０は、情報取得装置２１０から、それぞれが対応付けられた見守り対象者と位置情報と取得情報とを受信して、見守り対象者の状態を見守り者の情報処理装置１６４０に報知する。情報処理装置１６４０は、情報処理装置２２０から送信された見守り対象者の状態を表示して、見守り者に報知する。
【０１０１】
本実施形態においては、壁や天井に設置するレシーバとしての情報取得装置２１０には、カメラやスピーカ、センサを接続する。そして、ＩＤカードをカード型のビーコン端末として生徒や学生、社員に持たせることで、平時には、企業や学校での出勤・出欠・存在・安否管理に用いることができる。また、災害時には、企業や学校側が対象者の誘導を管理する。
【０１０２】
本実施形態によれば、街中における見守り対象者に対する見守りでなく、学校や会社などの閉じた場所における生徒や社員の現在の状態をより詳細に把握することができる。
【０１０３】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１０４】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2018067295.tif 000003
【図２】
2018067295.tif 000004
【図３】
2018067295.tif 000005
【図４】
2018067295.tif 000006
【図５】
2018067295.tif 000007
【図６】
2018067295.tif 000008
【図７】
2018067295.tif 000009
【図８Ａ】
2018067295.tif 000010
【図８Ｂ】
2018067295.tif 000011
【図８Ｃ】
2018067295.tif 000012
【図９】
2018067295.tif 000013
【図１０】
2018067295.tif 000014
【図１１】
2018067295.tif 000015
【図１２】
2018067295.tif 000016
【図１３】
2018067295.tif 000017
【図１４】
2018067295.tif 000018
【図１５】
2018067295.tif 000019
【図１６】
2018067295.tif 000020
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
近距離通信信号が送達可能な距離間隔で設置される情報取得装置であって、
見守り対象者が携帯する通信機器から継続して送信される、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置において、複数の情報取得装置から受信した複数の前記環境情報に基づいて生成されて送信された、前記見守り対象者の動作を指示するための情報を受信する指示情報受信手段と、
前記見守り対象者の動作を指示するための情報を報知する指示情報報知手段と、
を備える情報取得装置。
【請求項２】
前記見守り対象者の動作を指示するための情報は、複数の前記情報取得装置から受信した複数の前記環境情報を分析することによって作成された避難経路を含む避難情報を含む請求項１に記載の情報取得装置。
【請求項３】
前記情報取得手段は、前記見守り対象者を取り巻く環境情報を、温度計、湿度計、放射線計測器、または、見守り対象者の生体情報を検出するセンサにより取得する請求項１または２に記載の情報取得装置。
【請求項４】
前記情報取得手段は、前記見守り対象者の状態を確認するための情報を、前記見守り対象者を含む映像を撮像する撮像手段と、前記見守り対象者に関連する音声を取得する音声入力手段との少なくともいずれかにより取得する請求項１乃至３のいずれか１項に記載の情報取得装置。
【請求項５】
前記情報取得手段は、前記見守り対象者の事故、または、災害発生を含むイベント発生時に、前記見守り対象者の状態を確認するための情報と、前記見守り対象者を取り巻く環境情報とを取得する請求項１乃至４のいずれか１項に記載の情報取得装置。
【請求項６】
前記近距離通信信号はビーコン信号である、請求項１乃至５のいずれか１項に記載の情報取得装置。
【請求項７】
前記情報処理装置から配信された、見守り対象者を見守るための見守りアプリケーションを受信するアプリケーション受信手段と、
前記受信した見守りアプリケーションを実行して、前記情報取得装置の処理を実現するアプリケーション実行手段と、
をさらに備える請求項１乃至６のいずれか１項に記載の情報取得装置。
【請求項８】
近距離通信信号が送達可能な距離間隔で設置される情報取得装置の情報取得方法であって、
見守り対象者が携帯する通信機器から継続して送信される、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置において、複数の情報取得装置から受信した複数の前記環境情報に基づいて生成されて送信された、前記見守り対象者の動作を指示するための情報を受信する指示情報受信ステップと、
前記見守り対象者の動作を指示するための情報を報知する指示情報報知ステップと、
を含む情報取得方法。
【請求項９】
近距離通信信号が送達可能な距離間隔で設置される情報取得装置の情報取得プログラムであって、
見守り対象者が携帯する通信機器から継続して送信される、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置において、複数の情報取得装置から受信した複数の前記環境情報に基づいて生成されて送信された、前記見守り対象者の動作を指示するための情報を受信する指示情報受信ステップと、
前記見守り対象者の動作を指示するための情報を報知する指示情報報知ステップと、
をコンピュータに実行させる情報取得プログラム。
【請求項１０】
請求項１乃至７のいずれか１項に記載の情報取得装置から送信される見守り対象者の信号識別子を処理する情報処理装置であって、
近距離通信信号に含まれる信号識別子と、前記近距離通信信号を発信する通信機器を携帯する見守り対象者とを対応付けて登録する登録手段と、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報に基づいて、前記見守り対象者の動作を指示するための情報を生成して、前記信号識別子に対応する前記各情報取得装置に送信する指示情報送信手段と、
を備える情報処理装置。
【請求項１１】
請求項１乃至７のいずれか１項に記載の情報取得装置から送信される見守り対象者の信号識別子を処理する情報処理装置の情報処理方法であって、
近距離通信信号に含まれる信号識別子と、前記近距離通信信号を発信する通信機器を携帯する見守り対象者とを対応付けて登録手段に登録する登録ステップと、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報に基づいて、前記見守り対象者の動作を指示するための情報を生成して、前記信号識別子に対応する前記各情報取得装置に送信する指示情報送信ステップと、
を含む情報処理方法。
【請求項１２】
請求項１乃至７のいずれか１項に記載の情報取得装置から送信される見守り対象者の信号識別子を処理する情報処理装置の情報処理プログラムであって、
近距離通信信号に含まれる信号識別子と、前記近距離通信信号を発信する通信機器を携帯する見守り対象者とを対応付けて登録手段に登録する登録ステップと、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報に基づいて、前記見守り対象者の動作を指示するための情報を生成して、前記信号識別子に対応する前記各情報取得装置に送信する指示情報送信ステップと、
をコンピュータに実行させる情報処理プログラム。
【請求項１３】
見守り対象者の情報を取得する情報取得装置と、前記見守り対象者の情報に基づいて生成した情報を前記見守り対象者に報知する情報処理装置と、を備える見守りシステムであって、
前記情報取得装置は、近距離通信信号が送達可能な距離間隔で設置され、
見守り対象者が携帯する通信機器から継続して送信される、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置において、複数の情報取得装置から受信した複数の前記環境情報に基づいて生成されて送信された、前記見守り対象者の動作を指示するための情報を受信する指示情報受信手段と、
前記見守り対象者の動作を指示するための情報を報知する指示情報報知手段と、
を備え、
前記情報処理装置は、
近距離通信信号に含まれる信号識別子と、前記近距離通信信号を発信する通信機器を携帯する見守り対象者とを対応付けて登録する登録手段と、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報に基づいて、前記見守り対象者の動作を指示するための情報を生成して、前記信号識別子に対応する前記各情報取得装置に送信する指示情報送信手段と、
を備える見守りシステム。
【請求項１４】
近距離通信信号が送達可能な距離間隔で設置されて見守り対象者の情報を取得する情報取得装置と、前記見守り対象者の情報に基づいて生成した情報を前記見守り対象者に報知する情報処理装置と、を備える見守りシステムにおける見守り方法であって、
前記情報処理装置が、近距離通信信号に含まれる信号識別子と、前記近距離通信信号を発信する通信機器を携帯する見守り対象者とを対応付けて登録手段に登録する登録ステップと、
前記情報取得装置が、見守り対象者が携帯する通信機器から継続して送信される、信号識別子を含む近距離通信信号を受信する信号受信ステップと、
前記情報取得装置が、前記信号識別子を含む近距離通信信号を受信した場合に、前記見守り対象者の状態を確認するための情報と、前記見守り対象者を取り巻く環境情報とを取得する情報取得ステップと、
前記情報取得装置が、前記見守り対象者の状態を確認するための情報と、前記見守り対象者を取り巻く環境情報とを、前記信号識別子に対応付けて前記情報処理装置に送信する情報送信ステップと、
前記情報処理装置が、前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
前記情報処理装置が、複数の前記情報取得装置から受信した複数の前記環境情報に基づいて、前記見守り対象者の動作を指示するための情報を生成して、前記信号識別子に対応する前記各情報取得装置に送信する指示情報送信ステップと、
前記情報取得装置が、前記情報処理装置から送信された、前記見守り対象者の動作を指示するための情報を受信する指示情報受信ステップと、
前記情報取得装置が、前記見守り対象者の動作を指示するための情報を報知する指示情報報知ステップと、
を含む見守り方法。
【手続補正２】
【補正対象書類名】明細書
【補正対象項目名】０００６
【補正方法】変更
【補正の内容】
【０００６】
上記目的を達成するため、本発明に係る情報取得装置は、
近距離通信信号が送達可能な距離間隔で設置される情報取得装置であって、
見守り対象者が携帯する通信機器から継続して送信される、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置において、複数の情報取得装置から受信した複数の前記環境情報に基づいて生成されて送信された、前記見守り対象者の動作を指示するための情報を受信する指示情報受信手段と、
前記見守り対象者の動作を指示するための情報を報知する指示情報報知手段と、
を備える。
【手続補正３】
【補正対象書類名】明細書
【補正対象項目名】０００７
【補正方法】変更
【補正の内容】
【０００７】
上記目的を達成するため、本発明に係る情報取得方法は、
近距離通信信号が送達可能な距離間隔で設置される情報取得装置の情報取得方法であって、
見守り対象者が携帯する通信機器から継続して送信される、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置において、複数の情報取得装置から受信した複数の前記環境情報に基づいて生成されて送信された、前記見守り対象者の動作を指示するための情報を受信する指示情報受信ステップと、
前記見守り対象者の動作を指示するための情報を報知する指示情報報知ステップと、
を含む。
【手続補正４】
【補正対象書類名】明細書
【補正対象項目名】０００８
【補正方法】変更
【補正の内容】
【０００８】
上記目的を達成するため、本発明に係る情報取得プログラムは、
近距離通信信号が送達可能な距離間隔で設置される情報取得装置の情報取得プログラムであって、
見守り対象者が携帯する通信機器から継続して送信される、信号識別子を含む近距離通信信号を受信する信号受信ステップと、
前記信号識別子を含む近距離通信信号を受信した場合に、前記見守り対象者の状態を確認するための情報と、前記見守り対象者を取り巻く環境情報とを取得する情報取得ステップと、
前記見守り対象者の状態を確認するための情報と、前記見守り対象者を取り巻く環境情報とを、前記信号識別子に対応付けて情報処理装置に送信する情報送信ステップと、
前記情報処理装置において、複数の情報取得装置から受信した複数の前記環境情報に基づいて生成されて送信された、前記見守り対象者の動作を指示するための情報を受信する指示情報受信ステップと、
前記見守り対象者の動作を指示するための情報を報知する指示情報報知ステップと、
をコンピュータに実行させる。
【手続補正５】
【補正対象書類名】明細書
【補正対象項目名】０００９
【補正方法】変更
【補正の内容】
【０００９】
上記目的を達成するため、本発明に係る情報処理装置は、
上記情報取得装置から送信される見守り対象者の信号識別子を処理する情報処理装置であって、
近距離通信信号に含まれる信号識別子と、前記近距離通信信号を発信する通信機器を携帯する見守り対象者とを対応付けて登録する登録手段と、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報に基づいて、前記見守り対象者の動作を指示するための情報を生成して、前記信号識別子に対応する前記各情報取得装置に送信する指示情報送信手段と、
を備える。
【手続補正６】
【補正対象書類名】明細書
【補正対象項目名】００１０
【補正方法】変更
【補正の内容】
【００１０】
上記目的を達成するため、本発明に係る情報処理方法は、
上記情報取得装置から送信される見守り対象者の信号識別子を処理する情報処理装置の情報処理方法であって、
近距離通信信号に含まれる信号識別子と、前記近距離通信信号を発信する通信機器を携帯する見守り対象者とを対応付けて登録手段に登録する登録ステップと、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報に基づいて、前記見守り対象者の動作を指示するための情報を生成して、前記信号識別子に対応する前記各情報取得装置に送信する指示情報送信ステップと、
を含む。
【手続補正７】
【補正対象書類名】明細書
【補正対象項目名】００１１
【補正方法】変更
【補正の内容】
【００１１】
上記目的を達成するため、本発明に係る情報処理プログラムは、
上記情報取得装置から送信される見守り対象者の信号識別子を処理する情報処理装置の情報処理プログラムであって、
近距離通信信号に含まれる信号識別子と、前記近距離通信信号を発信する通信機器を携帯する見守り対象者とを対応付けて登録手段に登録する登録ステップと、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
複数の前記情報取得装置から受信した複数の前記環境情報に基づいて、前記見守り対象者の動作を指示するための情報を生成して、前記信号識別子に対応する前記各情報取得装置に送信する指示情報送信ステップと、
をコンピュータに実行させる。
【手続補正８】
【補正対象書類名】明細書
【補正対象項目名】００１２
【補正方法】変更
【補正の内容】
【００１２】
上記目的を達成するため、本発明に係る見守りシステムは、
見守り対象者の情報を取得する情報取得装置と、前記見守り対象者の情報に基づいて生成した情報を前記見守り対象者に報知する情報処理装置と、を備える見守りシステムであって、
前記情報取得装置は、近距離通信信号が送達可能な距離間隔で設置され、
見守り対象者が携帯する通信機器から継続して送信される、信号識別子を含む近距離通信信号を受信する信号受信手段と、
前記信号識別子を含む近距離通信信号を受信した場合に、前記見守り対象者の状態を確認するための情報と、前記見守り対象者を取り巻く環境情報とを取得する情報取得手段と、
前記見守り対象者の状態を確認するための情報と、前記見守り対象者を取り巻く環境情報とを、前記信号識別子に対応付けて情報処理装置に送信する情報送信手段と、
前記情報処理装置において、複数の情報取得装置から受信した複数の前記環境情報に基づいて生成されて送信された、前記見守り対象者の動作を指示するための情報を受信する指示情報受信手段と、
前記見守り対象者の動作を指示するための情報を報知する指示情報報知手段と、
を備え、
前記情報処理装置は、
近距離通信信号に含まれる信号識別子と、前記近距離通信信号を発信する通信機器を携帯する見守り対象者とを対応付けて登録する登録手段と、
見守り対象者が携帯する通信機器から継続して送信される、信号識別子を含む近距離通信信号を受信した前記情報取得装置から、前記信号識別子と、前記通信機器を携帯する前記見守り対象者の状態を確認するための情報と、前記見守り対象者を取り巻く環境情報と、を受信する見守り対象者情報受信手段と、
複数の前記情報取得装置から受信した複数の前記環境情報に基づいて、前記見守り対象者の動作を指示するための情報を生成して、前記信号識別子に対応する前記各情報取得装置に送信する指示情報送信手段と、
を備える。
【手続補正９】
【補正対象書類名】明細書
【補正対象項目名】００１３
【補正方法】変更
【補正の内容】
【００１３】
上記目的を達成するため、本発明に係る見守り方法は、
近距離通信信号が送達可能な距離間隔で設置されて見守り対象者の情報を取得する情報取得装置と、前記見守り対象者の情報に基づいて生成した情報を前記見守り対象者に報知する情報処理装置と、を備える見守りシステムにおける見守り方法であって、
前記情報処理装置が、近距離通信信号に含まれる信号識別子と、前記近距離通信信号を発信する通信機器を携帯する見守り対象者とを対応付けて登録手段に登録する登録ステップと、
前記情報取得装置が、見守り対象者が携帯する通信機器から継続して送信される、信号識別子を含む近距離通信信号を受信する信号受信ステップと、
前記情報取得装置が、前記信号識別子を含む近距離通信信号を受信した場合に、前記見守り対象者の状態を確認するための情報と、前記見守り対象者を取り巻く環境情報とを取得する情報取得ステップと、
前記情報取得装置が、前記見守り対象者の状態を確認するための情報と、前記見守り対象者を取り巻く環境情報とを、前記信号識別子に対応付けて前記情報処理装置に送信する情報送信ステップと、
前記情報処理装置が、前記情報取得装置から、前記信号識別子と、前記通信機器を携帯する前記見守り対象者の状態を確認するための情報と、前記見守り対象者を取り巻く環境情報と、を受信する見守り対象者情報受信ステップと、
前記情報処理装置が、複数の前記情報取得装置から受信した複数の前記環境情報に基づいて、前記見守り対象者の動作を指示するための情報を生成して、前記信号識別子に対応する前記各情報取得装置に送信する指示情報送信ステップと、
前記情報取得装置が、前記情報処理装置から送信された、前記見守り対象者の動作を指示するための情報を受信する指示情報受信ステップと、
前記情報取得装置が、前記見守り対象者の動作を指示するための情報を報知する指示情報報知ステップと、
を含む。